(57)【要約】【課題】  本考案の課題は、眼鏡や携帯情報端末等を拭き取るためのワイパーであって、使用者が携帯しやすいものを提供することにある。【解決手段】拭き取り機能を有する布帛の片面に、合成紙が積層してなるシートであり、合成紙上には絵や文字等の各種印刷が施されており、該シートがカード型の大きさを呈していることを特徴とするカード型ワイパー。また、合成紙がポリプロピレンによって構成されていることが好ましい。合成紙上の印刷が、オフセット印刷によるものであることが好ましい。【選択図】  図１
0003166984.tif 000002
【実用新案登録請求の範囲】
【請求項１】
拭き取り機能を有する布帛の片面に、合成紙が積層してなるシートであり、合成紙上には絵や文字等の各種印刷が施されており、該シートがカード型の大きさを呈していることを特徴とするカード型ワイパー。
【請求項２】
合成紙がポリプロピレンによって構成されていることを特徴とする請求項１記載のカード型ワイパー。
【請求項３】
合成紙上の印刷が、オフセット印刷によるものであることを特徴とする請求項１または２記載のカード型ワイパー。
【請求項４】
オフセット印刷が、ＵＶオフセット印刷であることを特徴とする請求項３記載のカード型ワイパー。
【請求項５】
合成紙の厚みが１００μｍ以上であることを特徴とする請求項１〜４のいずれか１項記載のカード型ワイパー。
【請求項６】
布帛と合成紙との間にフィルムが積層されていることを特徴とする請求項１〜５のいずれか１項記載のカード型ワイパー。
【考案の詳細な説明】
【技術分野】
【０００１】
本考案、携帯電話等の携帯情報端末、パソコン等の液晶や筐体、眼鏡等の携帯物を拭き取るためのワイパーに関するものである。
【背景技術】
【０００２】
従来より、眼鏡等のワイパーとしては、例えば、特許文献１に記載されるような極細繊維からなる布帛が用いられている。極細繊維によって構成される布帛は、レンズに付着した細かい汚れや油膜、指紋、手垢等を容易に拭き取ることができる。そして、極細繊維によって構成される布帛のなかでも起毛してなる布帛は、特に拭き取り性に優れる。このようなワイパーには意匠性を付与するために、布帛表面に模様やキャラクターなどがプリントされてなるものがある。しかしながら、起毛した極細繊維による布帛では、写真のような精緻な柄を明瞭にプリントすることには限界がある。
【０００３】
また、眼鏡等のワイパーは、通常、略四辺形のハンカチのような布帛単独品が用いられている。そして、ハンカチのような拭き布は、眼鏡ケース内に収納することが一般的である。しかしながら、眼鏡を常時装着している人が眼鏡ケースとともに拭き布を携帯していることは稀であり、外出先でレンズの汚れを気付いた際に拭き布を携帯していないことが多い。したがって、外出先では、レンズの汚れを専用の拭き布を用いることなく拭き取ることととなり、効率的に汚れを拭き取ることができないという問題がある。
【先行技術文献】
【特許文献】
【０００４】
【特許文献１】特開平８−２６０３２５号公報
【考案の概要】
【考案が解決しようとする課題】
【０００５】
本考案の課題は、眼鏡や携帯情報端末等を拭き取るためのワイパーであって、使用者が携帯しやすいものを提供することにある。
【課題を解決するための手段】
【０００６】
本考案は、上記課題を解決するものであって、拭き取り機能を有する布帛の片面に、合成紙が積層してなるシートであり、合成紙上には絵や文字等の各種印刷が施されており、該シートがカード型の大きさを呈していることを特徴とするカード型ワイパーを要旨とするものである。
【０００７】
以下、本考案について、詳細に説明する。
【０００８】
本考案のカード型ワイパーは、各種印刷が施された合成紙が、拭き取り機能を有する布帛の片面に積層してなるシートにより構成される。
【０００９】
拭き取り機能を有する布帛としては、極細繊維により構成される布帛が好ましい。極細繊維は、携帯情報端末の液晶画面や眼鏡等の被拭き取り対象物に傷を付けることなく、良好に汚れを拭き取ることができるためである。極細繊維により構成される布帛としては、不織布や織物、編物等が挙げられる。これらの布帛は、布帛を構成する繊維の全てが極細繊維によって構成されるものではなく、拭き取り性を考慮して、布帛の一部や表面のみが極細繊維によって構成されるものであってもよい。また、起毛処理がなされた極細繊維よりなる布帛を好ましく用いられる。
【００１０】
合成紙は、前記拭き取り機能を有する布帛の片面に積層される。布帛と合成紙が積層してなるシートは、合成紙が積層することにより、シートとして適度な形態保持性や成型性、曲げに対する適度な剛性を有することとなり、取り扱い性が良好となる。合成紙の厚みとしては、１００μｍ以上とするとよい。１００μｍ以上とすることにより、所望の適度な形態保持性や曲げに対する適度な剛性を良好に付与することができる。形態保持性と剛性を考慮すると、厚みは大きい方がよいが、大きくなりすぎると収納性に劣る傾向となるため、上限は３００μｍ程度がよい。このような理由から、より好ましい厚みは１５０μｍ〜２５０μｍである。また、合成紙は、より鮮明な印刷を施すことができるため、美観性および意匠性に優れるワイパーを得ることが得られる。
【００１１】
合成紙としては、引張りや曲げに強く耐久性が良好なことから、ポリプロピレン製の合成紙を好ましく用いることができる。商業的に入手できるものとして、ユポ・コーポレーション社製の商品名「ユポ」を好ましく用いることができる。
【００１２】
また、合成紙の片面には、絵や文字等の各種印刷が施されている。印刷する内容としては、本考案のカード型ワイパーの目的に応じて適宜選択すればよい。美観のために、各種模様やキャラクター等の絵柄、あるいは花や風景や人物等の写真を印刷してもよい。また、機能性を考慮して、カレンダー（暦）を印刷したものであってもよい。また、名刺や広告等のために文字やロゴ、マーク、模様を印刷してもよい。
【００１３】
印刷方式としては、凸版印刷、凹版印刷（グラビア印刷）、平板印刷、孔版（シルクスクリーン）印刷のいずれでもよいが、実物に近く質の高い印刷物が得られることから、平板印刷であるオフセット印刷を施すことが好ましく、ＵＶオフセット印刷がより好ましい。
【００１４】
拭き取り機能を有する布帛と合成紙とを積層する手段としては、接着剤を介して積層一体化すればよい。接着剤としては、液体状のものや、熱により溶融する低融点のフィルム状のもの等、適宜選択すればよい。また、合成紙の片面に粘着性の接着剤が付与されてなる合成紙を用いてもよい。この場合、剥離紙を取り除いて、接着剤付きの合成紙と布帛とを容易に貼り合わせることができるため、容易に積層一体化してなるシートを得ることができるため好ましい。このように粘着性の接着剤が付与されてなる合成紙としては、商業的には、ユポ・コーポレーション社製のものを用いることができる。また、布帛と合成紙との積層体であるシートの剛性をより高めたい場合は、布帛と合成紙との間にフィルムを介して積層してもよい。
【００１５】
本考案のカード型ワイパーは、いわゆるカード型の大きさを呈したものである。カード型とは、クレジットカードや銀行カードと略同等程度の大きさのものであり、また、名刺とも略同等程度の大きさである。本考案のワイパーは、カードや名刺と同程度の形状を呈しているので、カードケースや名刺入れ、財布に入れやすく、容易に携帯することができる。また、合成紙を積層していることから、形態保持性が良好で、適度な曲げ剛性を有するため、折れ曲がったり、ヨレたり、また丸まったりすることなくことなく、カードケース等へ出し入れが容易である。
【００１６】
本考案のカード型ワイパーは、例えば、合成紙と布帛とを接着剤等を介して積層一体化し、次いで所望の印刷を合成紙に施した後、カード型の大きさに切断することにより得ることができる。
【００１７】
図１は、本考案に係るカード型ワイパーの一例を示す概略斜視図である。図１におけるカード型ワイパー（１）は、片面が合成紙（２）、他面が拭き取り性を有する布帛（３）により構成される。合成紙の表面には印刷が施されており、この面が表面となって、絵やキャラクターや写真等が印刷されることにより美観や意匠性を奏するものとなり、また、文字が印刷されることにより種々の機能性を担うものとなる。他面は、拭き取り性を有する布帛である。カード型ワイパーを携帯し、必要時に取り出して、容易に対象物の汚れを拭き取り性を有する布帛の面にて拭き取ることができる。
【考案の効果】
【００１８】
本考案のカード型ワイパーは、拭き取り機能が有する布帛の片面に、印刷が施された合成紙が積層してなるシートにより構成される。合成紙が積層されることにより、形態保持性と曲げ剛性が付与されるためカードケース等に出し入れしやすく、カード型であることから、各種カードと同様にカードケースに入れて容易に携帯できる。したがって、外出際において、眼鏡や携帯情報端末等の携帯物の汚れを見つけた際には、即座に取り出して使用できる。また、合成紙には各種の印刷を明瞭に施すことができ、ワイパーに意匠性や広告効果を奏させることができる。
【図面の簡単な説明】
【００１９】
【図１】本考案に係るカード型ワイパーの一例を示す概略斜視図である。
【符号の説明】
【００２０】
１：カード型ワイパー
２：合成紙
３：拭き取り性を有する布帛
【図１】
0003166984.tif 000003